(57)【特許請求の範囲】
【請求項１】
電源から負荷に到る閉回路に設けられ、この閉回路を開閉する開閉手段と；
前記開閉手段の開閉を制御する制御手段と；
前記開閉手段の両端部から電力を取り込んで前記制御手段が用いる電圧を蓄積する蓄積手段と；
前記蓄積手段の電圧に基づいて、前記開閉手段の両端部から接続経路を介して前記蓄積手段へ到る複数の蓄積経路から経路選択を行う蓄積制御手段とを具備する電子化配線器具であって、
前記複数の蓄積経路は、
前記開閉手段の開状態において選択する第１の蓄積経路と、
前記開閉手段の閉状態において選択する第２の蓄積経路であって、前記第１の蓄積経路よりも大電流が流れる第２の蓄積経路と
を少なくとも具備していることを特徴とする電子化配線器具。
【請求項２】
人の有無を検出する人感センサ及び／または周囲の明るさを検出する照度センサを具備し、
制御手段は人感センサ及び／または照度センサの出力に応じて開閉手段の開閉を制御することを特徴とする請求項１に記載の電子化配線器具。
【請求項３】
負荷の通電時間を設定する設定スイッチを具備し、
制御手段は設定スイッチの設定に応じたタイミングにより、開閉手段の開閉を制御することを特徴とする請求項１に記載の電子化配線器具。
【発明の詳細な説明】
【技術分野】
【０００１】
本発明の実施形態は、電子化配線器具に関するものである。
【背景技術】
【０００２】
玄関や階段などに配置される照明器具においては、人が入ってきたときや人が存在するときに点灯し、その後に消灯すると効率的である。また、扇風機や換気扇などの電気機器にあっては、使用後に所定時間の経過後に不動作にすると効率的であり安全でもある。更に、照明器具においては、複数の場所（例えば、階段の踊り場の上側と下側）に人感センサを備えたスイッチを設けて配線すると極めて便利であり、また調光スイッチを複数設けて１以上の照明器具を調光制御すると便利である。
【０００３】
上記のような場合に、電源から負荷に到る閉回路に設けられ、この閉回路を開閉するトライアック等の開閉手段を備えた電子化配線器具が用いられる。この電子化配線器具においては、負荷をオフとした場合にも制御回路が動作（特に監視動作）する必要があり、自装置への電源供給は必須であり給電回路を備えている。この給電回路は、開閉手段の両端電圧にて充電されるようにしたコンデンサを主として構成されることが多い。
【０００４】
この給電回路は、負荷をオフとする制御を行っているものにおいては、僅かな電流を流してコンデンサに電荷を蓄積する回路である。ところが、上記のように複数の場所に電子化配線器具を設けて、それぞれを電気的に並列接続して負荷を制御する場合には、負荷が一方の電子化配線器具によってオンとされている場合に、負荷をオフとする制御を行っている他方の電子化配線器具においては、上記の僅かな電流が更に少なくなるためにコンデンサに所要の電荷を蓄積できない。
【０００５】
このため、従来においては、二つの電子化配線器具を３路の配線により接続し、一方の電子化配線器具が、他方の電子化配線器具によって負荷へ電流を流す経路からカレントトランスを用いて電力を取り出すようにしたものが知られている（特許文献１参照）。
【先行技術文献】
【特許文献】
【０００６】
【特許文献１】特許第３７４０８６６号明細書
【発明の概要】
【発明が解決しようとする課題】
【０００７】
特許文献１の電子化配線器具によると、カレントトランスを用いるため、装置全体が大型化、重量化、高価格化の要因となる。また、二つの電子化配線器具を３路の配線により接続した場合には電力を確保できるが、三つ以上の電子化配線器具を用いた配線においては、負荷をオン状態としているときに電流が流れない経路が存在するため、カレントトランスによる給電を行うことができないという問題があった。
【０００８】
本発明の実施形態は、上記のような従来における電子化配線器具の問題点を解決せんとしてなされたもので、その目的は、比較的簡単な構成で制御手段用の電力を安定的に確保できる電子化配線器具を提供することである。また、本発明の実施形態の他の目的は、三つ以上の電子化配線器具を用いた配線においても適切に電力の確保が可能な電子化配線器具を提供することである。
【課題を解決するための手段】
【０００９】
本発明の実施形態に係る電子化配線器具は、電源から負荷に到る閉回路に設けられ、この閉回路を開閉する開閉手段と；前記開閉手段の開閉を制御する制御手段と；前記開閉手段の両端部から電力を取り込んで前記制御手段が用いる電圧を蓄積する蓄積手段と；前記蓄積手段の電圧に基づいて、前記開閉手段の両端部から接続経路を介して前記蓄積手段へ到る複数の蓄積経路から経路選択を行う蓄積制御手段とを具備する電子化配線器具であって、前記複数の蓄積経路は、前記開閉手段の開状態において選択する第１の蓄積経路と、前記開閉手段の閉状態において選択する第２の蓄積経路であって、前記第１の蓄積経路よりも大電流が流れる第２の蓄積経路とを少なくとも具備していることを特徴とする。
【発明の効果】
【００１０】
本発明の実施形態に係る電子化配線器具によれば、電源から負荷に到る閉回路に設けられ、この閉回路を開閉する開閉手段と；開閉手段と接続され、開閉手段の開閉を制御する制御手段と；電源から電力を取り込んで制御手段が用いる電圧を蓄積する蓄積手段と；蓄積手段の電圧に基づいて、前記制御手段と開閉手段の接続経路を介して蓄積手段へ到る複数の蓄積経路から経路選択を行う蓄積制御手段とを具備しているので、蓄積手段の電圧に基づいて、制御手段と開閉手段の接続経路を介して蓄積手段へ到る複数の蓄積経路から所要の電流が流れる経路選択によって、蓄積手段の電圧を適正な値に保持することが期待できる。また、この経路が、制御手段と開閉手段の接続経路を介して蓄積手段へ到る経路であるから、当該電子化配線器具を３台以上接続可能な構成となっている。
【図面の簡単な説明】
【００１１】
【図１】本発明の第１の実施形態に係る電子化配線具の要部構成を示す回路図。
【図２】本発明の第１の実施形態に係る電子化配線具の要部構成を示すブロック図。
【図３】本発明の第１の実施形態に係る電子化配線具による電解コンデンサの充電期間を示す波形図。
【図４】本発明の第１の実施形態に係る電子化配線具の正面図。
【図５】本発明の第１の実施形態に係る電子化配線具を用いた場合の配線を示す図。
【図６】本発明の第２の実施形態に係る電子化配線具の構成を示すブロック図。
【図７】本発明の第２の実施形態に係る電子化配線具による調光制御を示す波形図。
【図８】本発明の第２の実施形態に係る電子化配線具を用いた場合の配線を示す図。
【発明を実施するための形態】
【００１２】
本発明の実施形態に係る電子化配線器具において、開閉手段はトライアックやＦＥＴなどの素子、また、リレースイッチなどを用いることが可能である。また、負荷は、照明負荷に限定されることなく、広く電力により動作するものであれば良い。蓄積手段としては、コンデンサを挙げることができるが、これに限定されるものではない。制御手段は、センサの出力を用いて開閉手段の開閉制御を行うもの、遅動スイッチとして制御を行うものの他、調光制御などの位相角制御を行うものなどが含まれる。複数の蓄積経路は、２以上の経路であればよい。
【００１４】
本発明の実施形態に係る電子化配線器具は、人の有無を検出する人感センサ及び／または周囲の明るさを検出する照度センサを具備し、制御手段は人感センサ及び／または照度センサの出力に応じて開閉手段の開閉を制御することを特徴とする。
【００１５】
本発明の実施形態に係る電子化配線器具は、負荷の通電時間を設定する設定スイッチを具備し、制御手段は設定スイッチの設定に応じたタイミングにより、開閉手段の開閉を制御することを特徴とする。
【００１６】
制御手段が設定スイッチの設定に応じたタイミングにより、開閉手段の開閉を制御する場合において、負荷が照明負荷である場合には、調光制御を行うことが可能である。
【００１７】
以下添付図面を参照して、本発明の実施形態に係る電子化配線器具１０を説明する。各図において、同一の構成要素には同一の符号を付して重複する説明を省略する。図１、図２に、本発明の第１の実施形態に係る電子化配線器具１０の構成図を示す。本実施形態に係る電子化配線器具１０は、商用電源１の電力を負荷である例えばＬＥＤなどの照明負荷２に供給する経路に設けられる。即ち、照明負荷２と商用電源１の直列回路が、負荷端子ＴＢ２と電源端子ＴＢ１の間に接続されている。電源端子ＴＢ１には送り端子ＴＢ３が接続されており、負荷端子ＴＢ２には送り端子ＴＢ４が接続されている。送り端子ＴＢ３、ＴＢ４は、この実施形態と同じ他の電子化配線器具１０と接続し、３路以上の配線を行うための端子である。
【００１８】
また、負荷端子ＴＢ２と電源端子ＴＢ１の間には、開閉手段であるトライアック１１と、フィルタ機能を有するコンデンサＣ１、サージアブソーバＳＡが並列に接続されている。トライアック１１の一方の端子と負荷端子ＴＢ２とは直接に接続されており、トライアック１１の他方の端子と電源端子ＴＢ１とはコイルＬ１を介して接続されている。トライアック１１とコイルＬ１の接続点と、トライアック１１のゲートとの間には、抵抗Ｒ１とコンデンサＣ２の並列回路が接続されている。上記コンデンサＣ１及びコイルＬ１は、主として雑音防止回路として作用する。また、上記抵抗Ｒ１及びコンデンサＣ２は後述の抵抗Ｒ３等と共にトライアック１１のトリガ回路を形成してトライアック１１の導通位相を制御する。このトリガ回路の定数選定により商用電源１の各半サイクルの電源が所定値（例えば１０Ｖ）を超えるまではトライアック１１にトリガ信号(オン信号)を供給しないように設計することができる。
【００１９】
負荷端子ＴＢ２とトライアック１１のゲートとは、整流回路であるダイオードブリッジ１２の入力側に接続されている。ダイオードブリッジ１２のプラス側ラインＰには、電流を大きく制限する抵抗Ｒ２が接続され、ダイオードブリッジ１２のマイナス側ラインＭはグランドに接続されている。上記抵抗Ｒ２には、ダイオードＤ１のアノードが接続され、ダイオードＤ１のカソードはボルテージレギュレータ１３の入力端子に接続されている。ボルテージレギュレータ１３から右側（図２の構成を含む）の部分が制御手段である制御回路ＣＯＮＴとなっている。
【００２０】
ダイオードブリッジ１２のプラス側ラインＰには、抵抗Ｒ２に並列に、抵抗Ｒ３とトランジスタＱ１の直列回路が接続されている。トランジスタＱ１のエミッタは上記抵抗Ｒ３に接続されており、トランジスタＱ１のコレクタはダイオードＤ１のアノードに接続されており、トランジスタＱ１のエミッタとベース間には抵抗Ｒ４が接続されている。
【００２１】
更に、上記トランジスタＱ１のベースには抵抗Ｒ５を介してトランジスタＱ２のコレクタが接続され、このトランジスタＱ２のエミッタはダイオードブリッジ１２のマイナス側ラインＭに接続されている。トランジスタＱ２ベースとダイオードブリッジ１２のマイナス側ラインＭの間には、フィルタを構成するコンデンサＣ３、抵抗Ｒ６の並列回路が接続されている。
【００２２】
制御回路ＣＯＮＴの出力信号はコネクタＣＮ１の信号ラインＳ１から抵抗Ｒ７を介してトランジスタＱ２のベースに与えられており、制御回路ＣＯＮＴの出力信号が照明負荷２のオンを指示する値（Ｈレベル）のときには、この出力信号によりトランジスタＱ２がオンとなり、これによってトランジスタＱ１がオンとなる。トランジスタＱ１がオンになると、ダイオードブリッジ１２を介してトライアック１１のゲート電流が流れてトライアック１１がオンとなり、照明負荷２がオンとされる。
【００２３】
ダイオードブリッジ１２のプラス側ラインＰとマイナス側ラインＭの間には、この電子化配線器具１０に電力を供給するための蓄積手段である電解コンデンサＣ４が接続されている。ボルテージレギュレータ１３は、この電解コンデンサＣ４の電圧を取り込んで安定化させて出力端子ＯＵＴから出力を行っている。このボルテージレギュレータ１３の出力電圧及びグランドレベルは、オペアンプ１４の電源として与えられる他に、抵抗Ｒ１４とラインｌ１、また、ラインｌ２によりコネクタＣＮ１の端子に与えられている。ダイオードブリッジ１２のプラス側ラインＰとマイナス側ラインＭの間には、電解コンデンサＣ４に並列にコンデンサＣ５及びツェナーダイオードＺＤが接続されている。コンデンサＣ５はフィルタであり、ツェナーダイオードＺＤはダイオードブリッジ１２のプラス側ラインＰにカソードが接続され、所定電圧以上の電圧が印加されると降伏して、不必要な電圧の印加に対応する。
【００２４】
この電子化配線器具１０には蓄積制御手段ＣＨＣＯＮＴが備えられている。蓄積制御手段ＣＨＣＯＮＴは、比較器を構成するオペアンプ１４、抵抗Ｒ９〜Ｒ１３により構成されている。オペアンプ１４のプラス入力には、ボルテージレギュレータ１３の出力を抵抗Ｒ１２と抵抗Ｒ１３により分圧した基準電位が与えられ、オペアンプ１４のマイナス入力には、電解コンデンサＣ４の電位を抵抗Ｒ９と、抵抗Ｒ１０及び抵抗Ｒ１１の並列回路とにより分圧した電位が与えられている。抵抗Ｒ１２と抵抗Ｒ１３の直列回路には、並列にノイズ除去用のコンデンサＣ６が接続されている。また、オペアンプ１４のプラス入力とマイナス側ラインＭの間にはノイズ除去用のコンデンサＣ７が接続され、オペアンプ１４のマイス入力とマイナス側ラインＭの間にはノイズ除去用のコンデンサＣ８が接続されている。オペアンプ１４の出力は抵抗Ｒ８を介してトランジスタＱ２のベースに与えられている。
【００２５】
照明負荷２がオフの場合において、電解コンデンサＣ４に適正に電荷蓄積がなされているときには、オペアンプ１４の出力がＬレベルとされ。オペアンプ１４の出力がＬレベルの場合には、トランジスタＱ１、Ｑ２が共にオフであり、抵抗Ｒ２とダイオードＤ１を介して小電流によって電解コンデンサＣ４への電荷蓄積が行われる。
【００２６】
３路以上の配線となっており照明負荷２がオンの場合において、図３に示されるように、例えば商用電源１の電圧が０からプラスマイナスの１０Ｖとまでの斜線の区間に電解コンデンサへの電荷蓄積がなされるが、照明負荷２をオフとする制御を行っている電子化配線器具１０では制御回路ＣＯＮＴの出力信号がＬレベルであり、トランジスタＱ１、Ｑ２が共にオフであり、抵抗Ｒ２を介する経路により電荷の蓄積が行われると、照明負荷２へ大きな電流が流れるために、抵抗Ｒ２を介する経路の電流は通常より少なくなる。
【００２７】
すると、電解コンデンサＣ４の電位が低下し、抵抗Ｒ９と、抵抗Ｒ１０及び抵抗Ｒ１１の並列回路とにより分圧した電位が低下し、オペアンプ１４の出力がＨレベルとなる。これによりトランジスタＱ２がオンとなり、更にトランジスタＱ１がオンとなる。トランジスタＱ１がオンになると、ダイオードブリッジ１２から抵抗Ｒ３及びトランジスタＱ１を介して抵抗Ｒ２を介する電流よりも大きな電流が流れて電解コンデンサＣ４に対して必要十分な電荷蓄積がなされる。
【００２８】
このとき、３路以上の配線において、少なくとも１台の電子化配線器具１０が照明負荷２をオンとする制御を行っている。このため、他の電子化配線器具１０において電解コンデンサＣ４の電位が低下して上記ようにオペアンプ１４の出力をＨレベルとすることにより、当該他の電子化配線器具１０のトライアック１１がオンとなっても、照明負荷２は既にオンとされているため、不適切な制御が生じることはない。
【００２９】
以上の通り本実施形態に係る電子化配線器具１０においては、蓄積制御手段ＣＨＣＯＮＴは、蓄積手段である電解コンデンサＣ４の電圧に基づいて、制御回路ＣＯＮＴと開閉手段であるトライアック１１の接続経路を介して蓄積手段である電解コンデンサＣ４へ到る複数の蓄積経路から経路選択を行っている。ここでは、抵抗Ｒ２を介する低電流の第１の経路と抵抗Ｒ２より小さな値の抵抗Ｒ３を介する第２の経路との選択を行っている。この第２の経路は、第１の経路より大きな電流を流すものとなっている。
【００３０】
本実施形態に係る電子化配線器具１０の制御回路ＣＯＮＴには、図２に示すように人感センサ２１と照度センサ２２とが備えられている。これら人感センサ２１と照度センサ２２は共にタイマ制御部２０へ出力信号を送出する。タイマ制御部２０には、モード切換部２３と時間設定部２４が接続されている。タイマ制御部２０にはコネクタＣＮ２が接続され、コネクタＣＮ２は図１のコネクタＣＮ１に接続される。従って、図１のボルテージレギュレータ１３の出力電圧はコネクタＣＮ１２に接続されたラインｌ３を介して、グランドレベルはコネクタｌ４を介して、タイマ制御部２０などの各部へ与えられる。
【００３１】
人感センサ２１は、例えば焦電型赤外線センサであり、温度に対応する検出信号をタイマ制御部２０へ送る。照度センサ２２は、照度に対応する検出信号をタイマ制御部２０へ送る。モード切換部２３は、制御回路ＣＯＮＴを動作させない「切」状態、人感センサ２１と照度センサ２２の出力を用いた自動制御を行う「自動」状態、センサ出力に無関係に照明負荷２を連続オンさせる「連続入」状態のいずれかを切換選択するスイッチとなっている。また時間設定部２４は、所定状態となったときから照明負荷２をオフさせるまでの時間を設定するディップスイッチやロータリースイッチにより構成することができる。
【００３２】
タイマ制御部２０は、照度センサ２２の出力信号が所定値より大きいことを検出した場合、または、人感センサ２１による出力信号レベルに所定変化がなくなったことを検出した場合を所定状態とし、このときからタイマをスタートさせ、上記時間設定部２４によって設定された時間の後に制御信号Ｓ０をＬレベルとする。タイマ制御部２０は、照度センサ２２の出力信号が所定値以下であることが検出されており、且つ人感センサ２１による出力信号レベルに所定変化が検出した場合には、制御信号Ｓ０をＨレベルとすると共に、その度に上記タイマの値をリセットする。制御信号Ｓ０は、コネクタＣＮ２へ出力され、コネクタＣＮ１の信号ラインＳ１へ送られる。
【００３３】
図４には、本実施形態に係る電子化配線器具１０の正面図が示されている。この電子化配線器具１０は、例えば金属製の取付板(サポート)３１により壁や天井の内部に設けられた配線ボックスなどに固定することができる。取付板３１上には、室内などの検出対象側に突出した概ね直方体状の筐体３２が取り付けられている。取付板３１が固定された状態において、筐体３２の周囲を囲繞する穴部を備える化粧パネル（図示せず）が嵌合され、化粧パネルが壁や天井などに取り付けられる。
【００３４】
筐体３２の正面中央部には、開閉可能な開閉扉３３が設けられ、開閉扉３３の上側には前述のモード切換部２３を構成するスイッチ摘み３４が設けられている。開閉扉３３を開けると、照度センサ２２の制御手段への作用・不作用を切り換えるスイッチと時間設定部２４のスイッチが現れる。従って、開閉扉３３を開けた状態において照度センサ２２の切り換え用のスイッチを操作することにより照度センサ２２による制御の有無を設定することができる。また、開閉扉３３を開けた状態において時間設定部２４のスイッチを操作することにより時間設定を行うことが可能である。
【００３５】
開閉扉３３の下側には、略円盤の一部が前方に突出した形状の窓部３５が取り付けられ、この窓部３５の筐体３２側には、人感センサ２１と照度センサ２２とが設けられている。筐体３２内には、図１に示した部品と回路及び図２に示したブロック図を実現する部品と回路が実装されている。
【００３６】
筐体３２の背面には、図５に示すように、電源端子ＴＢ１、負荷端子ＴＢ２、送り端子ＴＢ３、ＴＢ４が設けられている。図５においては開閉手段であるトライアック１１が図示されているが、実際には筐体３２内に実装されている。トライアック１１と電源端子ＴＢ１、負荷端子ＴＢ２、送り端子ＴＢ３、ＴＢ４の接続も筐体３２内において行われている。
【００３７】
上記のような電子化配線器具１０を単独スイッチとして使用する場合には、図５（ａ）の太線にて示すように外部配線を行う。これにより、照度センサ２２の出力信号が所定値以下であり、人が人感センサ２１の検知エリアに入って人感センサ２１による出力信号レベルに所定変化が検出した場合には、制御信号がＨレベルとされ、ランプ等である照明負荷２をオンとする。人が人感センサ２１の検知エリアの外に出て所定時間経過すると制御信号がＬレベルとされ、自動的にランプ等である照明負荷２がオフにされる。
【００３８】
図５（ｂ）は、３路配線の外部配線を太線により示したものである。この場合は、商用電源１と照明負荷２との直列回路の電源１を、第１の電子化配線器具１０Ａの電源端子ＴＢ１に接続し、上記直列回路の照明負荷２を第２の電子化配線器具１０Ｂの負荷端子ＴＢ２に接続する。第１の電子化配線器具１０Ａと第２の電子化配線器具１０Ｂにおけるそれぞれの送り端子ＴＢ３と送り端子ＴＢ４を相互接続する。
【００３９】
図５（ｃ）は、４路配線の外部配線を太線により示したものである。この場合は、商用電源１と照明負荷２との直列回路の電源１を、第１の電子化配線器具１０Ａの電源端子ＴＢ１に接続し、上記直列回路の照明負荷２を第２の電子化配線器具１０Ｂの送り端子ＴＢ４に接続する。第１の電子化配線器具１０Ａにおける送り端子ＴＢ３と送り端子ＴＢ４を第３の電子化配線器具１０Ｃにおける電源端子ＴＢ１と負荷端子ＴＢ２に接続する。更に、第３の電子化配線器具１０Ｃにおける送り端子ＴＢ３と送り端子ＴＢ４を第２の電子化配線器具１０Ｂにおける電源端子ＴＢ１と負荷端子ＴＢ２に接続する。第３の電子化配線器具１０Ｃと同じ接続をする電子化配線器具１０を増やすことにより、４箇所以上に開閉手段を設置することができる。
【００４０】
本実施形態に係る電子化配線器具１０は、上記のように２台以上の電子化配線器具１０を用いて制御を行う場合にも、蓄積手段である電解コンデンサＣ４に対し適正に電荷の蓄積が行われない場合には、大電流が流れる経路により電荷を蓄積するように機能するので、蓄積手段である電解コンデンサＣ４の電圧を適正な値に保持することができ、電子化配線器具１０の安定的な動作を確保することが可能である。
【００４１】
第１の実施形態の変形例では、人感センサ２１と照度センサ２２に代えて、例えば１つの手動スイッチを用いる。手動スイッチがオンされるとタイマ制御回路から負荷をオンとする制御信号を出力し、手動スイッチがオフとされると時間設定部２４により設定された時間の後にタイマ制御回路から負荷をオフとする制御信号を出力する。他の構成は第１の実施形態と変わらない。
【００４２】
上記の変形例に係る電子化配線器具は遅動スイッチとして動作する。負荷を換気扇とすることにより、例えば室内において手動スイッチを操作して外へ出ることにより所定時間の換気が行われ、空気が汚れた室内に留まる必要がなく、便利である。このようなスイッチを３路以上の配線において用いることができる。
【００４３】
図６に、第２の実施形態に係る電子化配線器具１０Ｄの構成例を示す。この電子化配線器具１０Ｄは、照明負荷２の調光制御を行うものであり、メイン制御部４０が調光によるオンのタイミングを作成する。メイン制御部４０には、調光度を設定するための操作部４２が設けられている。また、メイン制御部４０には、電源処理部４１が接続されており、電源処理部４１は図１の回路と同一の回路となっている。
【００４４】
このため、メイン制御部４０は電源処理部４１によって作成された電圧をラインＯＵＴにより、またグランドレベルをラインＧＮＤにより受け取る。メイン制御部４０には、商用電源１における電圧のゼロクロス点を検出する手段として、例えばカレントトランスＣＴが接続される。カレントトランスＣＴを設ける位置は、図６のように電源処理部４１よりも商用電源１側であっても良く、また、図１のトライアック１１よりも制御回路ＣＯＮＴ側であっても良い。これは、電源処理部４１の構成が図１に示されたものであり、トライアック１１よりも制御回路ＣＯＮＴ側に０レベルより上昇する電流が少なくとも僅かな時間流れる回路構成を採用しているためである。
【００４５】
以上の通りに構成された電子化配線器具１０Ｄでは、操作部４２において調光度が設定されると、メイン制御部４０はカレントトランスＣＴを介して得られる電圧のゼロクロス点を検出し、ここから設定された調光度に対応する時間ｔ１の経過後に電源処理部４１へ制御信号ＳをＨレベルとして与える。
【００４６】
この結果、図７に示すように商用電源１における交流電圧Ｖのゼロクロス点から時間ｔ１に照明負荷２がオンとされ、実線により示す区間において照明負荷２が点灯されて調光制御がなされる。なお、図７において斜線により示す期間は、照明負荷２がオンのときに電解コンデンサＣ４に対する充電期間を示している。
【００４７】
上記電子化配線器具１０Ｄを、例えば３台用いて照明負荷２を調光制御する回路は、図８に示すようになる。つまり、商用電源１と照明負荷２の直接回路に対し、３台の電子化配線器具１０Ｄを並列接続した回路を、接続したものである。このような回路構成により、最大の調光度によって調光制御を行う電子化配線器具１０Ｄの制御が優先される。この場合にも３台の各電子化配線器具１０Ｄにおいて電力確保が適切に行われると共に、優先される電子化配線器具１０Ｄが切り替わる際にも、調光のタイミングに狂いが生じることなく適切な調光制御を行うことができる。
【符号の説明】
【００４８】
１  商用電源
２  照明負荷
１０、１０Ａ、１０Ｂ、１０Ｃ、１０Ｄ  電子化配線器具
１１  トライアック
２０  タイマ制御部
２１  人感センサ
２２  照度センサ
２３  モード切換部
２４  時間設定部
４０  メイン制御部
４１  電源処理部
４２  操作部
ＣＯＮＴ  制御回路
ＣＨＣＯＮＴ  蓄積制御手段
【図１】
0005716436.tif 000002
【図２】
0005716436.tif 000003
【図３】
0005716436.tif 000004
【図４】
0005716436.tif 000005
【図５】
0005716436.tif 000006
【図６】
0005716436.tif 000007
【図７】
0005716436.tif 000008
【図８】
0005716436.tif 000009